(57)【特許請求の範囲】
【請求項１】
第１段のフィルタ装置と、２段階のフィルタ構造を有し、前記第１段のフィルタ装置のエア出口と連通している渦巻き状の２段式ダスト・エア分離装置を備え、前記渦巻き状の２段式ダスト・エア分離装置が前記第１段のフィルタ装置に着脱自在に固定されており、
前記第１段のフィルタ装置が、ダストカップと、このダストカップの内部に設けられたフィルタスクリーンを備え、前記フィルタスクリーンと、前記ダストカップの内壁の間に隙間が設けられており、この隙間は前記第１段のフィルタ装置のサイクロンエア通路を形成しており、前記フィルタスクリーンと前記ダストカップの間に第１のダスト収集スペースが形成されており、
前記渦巻き状の２段式ダスト・エア分離装置は手持ち式の掃除機であり、ダストを含む空気が第１段のフィルタ装置の第１のエア流入通路から流入し、前記フィルタスクリーンによる第１段階のダスト・エア分離が行われた後、ダストを含むエアの少なくとも一部が第２のエア流入通路を通って前記渦巻き状の２段式ダスト・エア分離装置のサイクロンシリンダに送られ、そこで第２段階のダスト・エア分離が行われることにより、第２のダスト収集スペースに集められ、次にダストを含むエアの少なくとも一部が第３のエア流入通路を通って、前記渦巻き状の２段式ダスト・エア分離装置の渦巻き状のファンブレードに送られ、そこで第３段階のダスト・エア分離が行われることにより、第３のダスト収集スペースに集められ、次に旋回流となって移動する空気が負圧によって排出されることで、第３段階のダスト・エア分離が完了する３段構造のサイクロン式ダストカップフィルタシステム。
【請求項２】
前記ダストカップの上部にカバープレートが設けられており、このカバープレートの中間部が下方に凹んで、前記手持ち式の掃除機を載置するための載置スペースが形成されており、手持ち式掃除機の下端が前記載置スペース内に組み込まれている請求項１に記載の３段構造のサイクロン式ダストカップフィルタシステム。
【請求項３】
クランプコネクタが前記載置スペース内に形成されており、前記手持ち式掃除機の下端が前記載置スペース内で締付固定されている請求項２に記載の３段構造のサイクロン式ダストカップフィルタシステム。
【請求項４】
前記載置スペースが上部から下部までテーパが付いた、テーパ円筒形状を有する請求項２に記載の３段構造のサイクロン式ダストカップフィルタシステム。
【請求項５】
前記フィルタスクリーンが、前記載置スペースの下端で接続部に固定されている請求項２に記載の３段構造のサイクロン式ダストカップフィルタシステム。
【請求項６】
前記ダストカップが前記カバープレートの下側に着脱自在に設けられている請求項２に記載の３段構造のサイクロン式ダストカップフィルタシステム。
【請求項７】
前記カバープレートが上下に配置された２つの部分を備え、この２つの部分が重ね継ぎされエア通路を形成しており、このエア通路が前記第１のダスト収集スペースと連通している請求項２に記載の３段構造のサイクロン式ダストカップフィルタシステム。
【請求項８】
前記エア通路の内面が渦巻き状の面である請求項７に記載の３段構造のサイクロン式ダストカップフィルタシステム。
【請求項９】
前記渦巻き状の２段式ダスト・エア分離装置のエア流入口が底部に位置し、前記分離装置の第２および第３のエア流入通路が、前記エア流入口の位置から、前記分離装置の一方の側部を通って、前記渦巻き状の２段式ダスト・エア分離装置の上端まで延びている請求項１に記載の３段構造のサイクロン式ダストカップフィルタシステム。
【請求項１０】
フロアブラシと、プッシュロッドと、本体と、請求項１−９のいずれか１項に記載の３段構造のサイクロン式ダストカップフィルタシステムを備え、
前記カバープレートが前記プッシュロッドに一体的に接続されており、前記プッシュロッドは中空構造を有し、前記カバープレートの前記エア通路が前記プッシュロッドの中空室に連通しており、ダストとエアは前記フロアブラシを通って前記プッシュロッドの前記中空室に流入し、さらに前記カバープレートの前記エア通路を通って前記３段構造のサイクロン式ダストカップフィルタシステムに流入し、フィルタと分離が行われ、分離されたエアは手持ち掃除機の本体に流入し、排出される掃除機。
【発明の詳細な説明】
【技術分野】
【０００１】
本願は、２０１５年１１月３日に中国国家知的財産局に提出された「３段構造のサイクロン式ダストカップフィルタシステム及び同システムを備えた掃除機」（THREE-TIER CYCLONE DUST CUP FILTRATION SYSTEM AND VACUUM CLEANER COMPRISING THE SYSTEM）と題する中国特許出願No. 201510736706.9の優先権を主張する。
【０００２】
本発明は、掃除機フィルタシステム、特に３段構造のサイクロン式ダストカップフィルタシステム、および同システムを用いた掃除機に関する。
【背景技術】
【０００３】
掃除機は、モータでブレードを高速回転させることで、密封されたハウジング内に負圧を発生させ、ダストをダスト収集装置内に吸い込み、フィルタを通した空気をファンによって非常に高速で排出する装置である。掃除機はその機能によって乾式と湿式に分類される。乾式の掃除機は一般にダストバッグタイプの掃除機と、ダストカップタイプの掃除機に分類される。
【０００４】
従来のダストカップタイプの掃除機は、一般に空気中の大きなごみをフィルタで取り除く第１段階と、ダストの粒子などの小さい不純物を分離して集める第２段階から成る２段階のダスト・エア分離構造を有する。このような２段式のダスト・エア分離構造は、一般にダストカップフィルタのカバープレートと、複数のサイクロン開口を有するサイクロン部の協働により２段式サイクロンを形成する。この構造は多数の部品を要し、比較的複雑な成形・組立工程が必要であり、各工程における密封の制御が難しいため、エアとダストの漏れの問題が起きやすく、これがユニット全体の性能に悪影響を与えていた。
【０００５】
さらに掃除機のダストカップフィルタシステムにおいては、ダストバッグまたは単一のダストカップが基本的に用いられる。ダストや髪の毛などはエア通路を通って直接ダストカップに流入し、フィルタに通され分離される。このため小さいダストと、髪の毛などの大きいダスト粒子は一緒にダストカップに流入する。一段のサイクロン構造は、細かいダストを分離することができず、２段式のサイクロン構造の場合、髪の毛が、ダストを分離できないコーンに絡まりやすく、これが高効率粒子・エア（ＨＥＰＡ（High Efficiency Particulate Air））フィルタの詰まりの原因になる。ＨＥＰＡフィルタが詰まると、エア損失が高くなり、ユニット全体のダスト収容能力が相対的に低下する。
【０００６】
上記の問題を考慮すると、装置全体のダスト収容能力を効果的に高め、ダストカップの分離効率を向上させ、エア損失を減らすことにより、クリーニングがしやすく、構造が単純で、ダストの排出がしやすい新規なフィルタシステムを提供する必要がある。
【発明の概要】
【課題を解決するための手段】
【０００７】
そこで本発明は３段構造のサイクロン式ダストカップフィルタシステムと、このシステムを用いた掃除機を提供する。フィルタシステムは、着脱自在に設けられた渦巻き状の２段式ダスト・エア分離装置と、第１段のフィルタ装置を備え、ダストの分離を３回行うことができ、これによりダストカップの分離効率が向上し、エア損失が減少し、クリーニングがしやすくなり、構造が単純化され、ダストの排出がしやすくなり、ユニット全体のダスト収容能力を効果的に高くすることができる。
【０００８】
本発明の課題を解決するための３段構造のサイクロン式ダストカップフィルタシステムは、第１段のフィルタ装置と、２段階のフィルタ構造を有し、前記第１段のフィルタ装置のエア出口と連通している渦巻き状の２段式ダスト・エア分離装置を備え、前記渦巻き状の２段式ダスト・エア分離装置が前記第１段のフィルタ装置に着脱自在に固定されており、
前記第１段のフィルタ装置が、ダストカップと、このダストカップの内部に設けられたフィルタスクリーンを備え、前記フィルタスクリーンと、前記ダストカップの内壁の間に隙間が設けられており、この隙間は前記第１段のフィルタ装置のサイクロンエア通路を形成しており、前記フィルタスクリーンと前記ダストカップの間に第１のダスト収集スペースが形成されており、
前記渦巻き状の２段式ダスト・エア分離装置は手持ち式の掃除機であり、ダストを含む空気が第１段のフィルタ装置の第１のエア流入通路から流入し、前記フィルタスクリーンによる第１段階のダスト・エア分離が行われた後、ダストを含むエアの少なくとも一部が第２のエア流入通路を通って前記渦巻き状の２段式ダスト・エア分離装置のサイクロンシリンダに送られ、そこで第２段階のダスト・エア分離が行われることにより、第２のダスト収集スペースに集められ、次にダストを含むエアの少なくとも一部が第３のエア流入通路を通って、前記渦巻き状の２段式ダスト・エア分離装置の渦巻き状のファンブレードに送られ、そこで第３段階のダスト・エア分離が行われることにより、第３のダスト収集スペースに集められ、次に旋回流となって移動する空気が負圧によって排出されることで、第３段階のダスト・エア分離が完了する。
【０００９】
好ましくは、前記ダストカップの上部にカバープレートが設けられており、このカバープレートの中間部が下方に凹んで、前記手持ち式の掃除機を載置するための載置スペースが形成されており、手持ち式掃除機の下端が前記載置スペース内に組み込まれている構成とする。
【００１０】
好ましくは、クランプコネクタが前記載置スペース内に形成されており、前記手持ち式掃除機の下端が前記載置スペース内で締付固定されている構成とする。
【００１１】
好ましくは、前記載置スペースが上部から下部までテーパが付いた、テーパ円筒形状を有する構成とする。
【００１２】
好ましくは、前記フィルタスクリーンが、前記載置スペースの下端で接続部に固定されている構成とする。
【００１３】
好ましくは、前記ダストカップが前記カバープレートの下側に着脱自在に設けられている構成とする。
【００１４】
好ましくは、前記カバープレートが上下に配置された２つの部分を備え、この２つの部分が重ね継ぎされエア通路を形成しており、このエア通路が前記第１のダスト収集スペースと連通している構成とする。
【００１５】
好ましくは、前記エア通路の内面を渦巻き状の面で構成する。
【００１６】
好ましくは、前記渦巻き状の２段式ダスト・エア分離装置のエア流入口が底部に位置し、前記分離装置の第２および第３のエア流入通路が、前記エア流入口の位置から、前記分離装置の一方の側部を通って、前記渦巻き状の２段式ダスト・エア分離装置の上端まで延びている構成とする。
【００１７】
掃除機は、フロアブラシと、プッシュロッドと、本体と、前記３段構造のサイクロン式ダストカップフィルタシステムを備えている。前記カバープレートは前記プッシュロッドに一体的に接続されており、前記プッシュロッドは中空構造を有し、前記カバープレートの前記エア通路が前記プッシュロッドの中空室に連通している。ダストとエアは前記フロアブラシを通って前記プッシュロッドの前記中空室に流入し、さらに前記カバープレートの前記エア通路を通って前記３段構造のサイクロン式ダストカップフィルタシステムに流入し、フィルタと分離が行われ、分離されたエアは手持ち掃除機の本体に流入し、排出される。
【発明の効果】
【００１８】
従来のものと比べると、本発明の３段構造のサイクロン式ダストカップフィルタシステムと、このシステムを用いた掃除機は、下記の利点を有する。
このフィルタシステムは、上記の着脱自在に設けられた渦巻き状の２段式ダスト・エア分離装置と、上記の第１段のフィルタ装置を備えている。ダストを含む空気が第１段のフィルタ装置の第１のエア流入通路から流入すると、フィルタスクリーンで第１段階のダスト・エア分離が行われた後、ダストを含む空気の少なくとも一部は、第２のエア流入通路を通って、渦巻き状の２段式ダスト・エア分離装置のサイクロンシリンダに流入し、第２段階のダスト・エア分離が行われ、第２のダスト収集スペースに集められる。次にダストを含む空気の少なくとも一部は、第３のエア流入通路を通って、渦巻き状の２段式ダスト・エア分離装置の渦巻き状のファンブレードに到達し、第３段階のダスト・エア分離が行われ、ダストが第３のダスト収集スペースに集められる。次に旋回流となって移動する空気は負圧により排出される。こうして第３段階のダスト・エア分離が完了する。このシステムにより、ユニット全体のダスト収容能力が大きくなるだけでなく、ダストカップの分離効率も向上し、エア損失が減少する。ダストカップの分離効率は９５%を超え、これは同タイプの第１段のサイクロンシステムと比較して大幅に高い数値である。３回のダスト・エア分離を行うことにより、ＨＥＰＡフィルタは詰まりにくくなり、ＨＥＰＡフィルタのクリーニングの回数を減らすことができる。さらに大粒のダストと細かい粒のダストが２つの別々のダストカップ、すなわちフィルタ装置のダストカップと、手持ち掃除機のダストカップにそれぞれ集められるため、クリーニングが容易である。またフィルタ装置のダストカップは構造が単純で、ダストの排出が容易である。
【図面の簡単な説明】
【００１９】
本発明の実施例、あるいは従来技術の課題の解決手段をより明確に示す図面を、以下に簡単に説明する。以下に説明する図面は、本発明の一部の例を示すものに過ぎず、当業者ならこれらの図面に基づいて、創造性を発揮せずに別の図面を考えることができるはずである。
【図１】本発明に係る３段構造のサイクロン式ダストカップフィルタシステムの構成図
【図２】本発明に係る３段構造のサイクロン式ダストカップフィルタシステムの断面図
【発明を実施するための形態】
【００２０】
掃除機のダストカップフィルタシステムにおいては、ダストバッグまたは単一のダストカップを用いたサイクロン式のフィルタシステムが基本的に採用される。ダストや髪の毛などは分離およびフィルタ用のエア通路を通ってダストカップに直接吸い込まれる。このため微小なダストや髪の毛などの大きなダストの粒子はダストカップに一緒に吸い込まれる。第１段のサイクロン構造は微小なダストを分離することができない。一方２段式のサイクロン構造の場合、ダストを分離することができないコーンに髪の毛が絡まることにより、ＨＥＰＡフィルタが詰まりやすくなる。これがエア損失の増大につながり、ユニット全体のダスト保持能力の相対的な低下につながる。
【００２１】
２段式ダスト・エア分離構造、およびこの構造を有するダストカップは、中国特許出願公開第１０４５４５６９５号明細書に開示されており、この出願は従来の２段式ダスト・エア分離システムを開示しているが、この構造の使用時に上で記載した問題が生じる。
【００２２】
上記の従来技術の問題点を解消するために、本発明は３段構造のサイクロン式ダストカップフィルタシステム、およびこのシステムを用いた掃除機を提供する。このフィルタシステムは、着脱自在に設けられた渦巻き状の２段式ダスト・エア分離装置と、第１段のフィルタ装置を備えている。このためダストは３回分離されることになり、ダストカップの分離効率が向上し、エア損失が減少し、クリーニングがしやすくなり、構造の単純化が図れ、ダストの排出が簡単になり、ユニット全体のダスト保持能力を効果的に高めることができる。
【００２３】
以下、本願の実施例による上記課題の技術的な解決手段を、添付の図面に基づいて明確かつ完全に説明する。ここで説明する実施例は、本願のすべての実施例ではなく、本願のすべての実施例のうちの一部に過ぎない。当業者が創造性を発揮せずにここで説明する実施例に基づいて考えることができるすべての実施例は、本発明の範囲に属するものである。
【００２４】
図１および２に示すように、３段構造のサイクロン式ダストカップフィルタシステムは、第１段のフィルタ装置１０と、２段階のフィルタ構造を有し、第１段のフィルタ装置１０のエア出口と連通している渦巻き状の２段式ダスト・エア分離装置２０を備えており、渦巻き状の２段式ダスト・エア分離装置２０は、第１段のフィルタ装置に着脱自在に固定されている。
【００２５】
ここで、渦巻き状の２段式ダスト・エア分離装置は、手持ち式の掃除機であり、この手持ち式の掃除機が、第１段のフィルタ装置に着脱自在に固定されている。この手持ち式の掃除機は第１段のフィルタ装置に取付けた状態で使用することも、第１段のフィルタ装置から切り離した状態で別々に使用することもできる。このため広い用途に用いることができる。上記の手持ち式掃除機と第１段のフィルタ装置が協働することで、２段階のダスト・エア分離機能を有する手持ち式掃除機に基づく３段階のダスト・エア分離が可能になり、これによりダストカップの分離効率が向上し、エア損失が低減し、クリーニングがしやすくなる。
【００２６】
第１段のフィルタ装置１０は、ダストカップ１１と、ダストカップ１１内部に設けられたフィルタスクリーン１２を有し、フィルタスクリーン１２とダストカップ１１の内壁の間には、第１段のフィルタ装置のサイクロンエア通路１３を形成する隙間が設けられている。またフィルタスクリーン１２とダストカップ１１の間には第１のダスト収集スペース１４が形成されている。フィルタスクリーンによって分離された大粒のダストなどは第１のダスト収集スペース１４中に落下する。
【００２７】
装置の作動中に、ダストを含むエアは第１フィルタ装置１０の第１のエア流入通路から流入し、フィルタスクリーン１２による第１段階のダスト・エア分離後、ダストを含むエアの少なくとも一部は、渦巻き状の２段式ダスト・エア分離装置２０のサイクロンシリンダ２１内に導かれ、第２のエア流入通路を通過することで第２段階のダスト・エア分離が行われ、第２のダスト収集スペース２２に集められる。その後ダストを含むエアの少なくとも一部は第３のエア流入通路を通って、渦巻き状の２段式ダスト・エア分離装置の渦巻き状のファンブレード２３に導かれ、第３段階のダスト・エア分離が行われ、第３のダスト収集スペース２４に集められる。また旋回流として移動している空気は、負圧により排出される。こうして第３段階のダスト・エア分離が行われる。
【００２８】
カバープレート１５がダストカップ１１の上部に設けられており、ダストカップ１１の中間部は下方に凹み、手持ち掃除機載置用の載置スペース１６を形成している。この載置スペース内に手持ち掃除機の下端が組み込まれる。手持ち掃除機を安定して保持するために、載置スペース内にはクランプコネクタ１７が形成されており、手持ち掃除機が載置スペース内で締付固定されている。
【００２９】
載置スペース１６は、手持ち掃除機を載置しやすいように、上部から下部までテーパがついた、テーパ円筒形状を有する。
【００３０】
フィルタスクリーン１２は載置スペースの下端の接続部に、クリーニング時などに取り外すことができるように固定されている。
【００３１】
ダストカップ１１は、カバープレートの下側に着脱自在に設けられている。ダストカップ１１は、大粒のダストなどを収容するものであり、ダストの大半は第１段階のダスト・エア分離工程時に分離され、ダストカップ１１中に落下する。ダストカップ１１を着脱自在に設けることで、ダストを簡単に排出することができ、またダストカップ１１を手持ち掃除機のダストカップと組み合わせて用いることで、掃除機全体のダスト収容能力を効果的に大きくすることができる。
【００３２】
カバープレート１５は上下に配置された２つの部分を有する。この２つの部分は重ね継ぎされ（spliced）、第１のダスト収集スペース１４と連通するエア通路１８を形成している。ここでエア通路１８は、渦巻き状の面を有する。エア通路に流入したダストとエアは、この渦巻き状の面にガイドされ、下向きの旋回流を形成しながら徐々に加速する。また負圧が内部に発生することで、ダストとエアがスムーズに流入する。
【００３３】
渦巻き状の２段式ダスト・エア分離装置のエア流入口は底部に位置し、分離装置の第２および第３のエア流入通路がエア流入口の位置から、渦巻き状の２段式ダスト・エア分離装置の一方の側部を通って、分離装置の上端まで延びており、第１段階のダスト・エア分離の後、ダストとエアはこの第２および第３のエア流入通路に流入し、第２および第３段階のダスト・エア分離が行われる。
【００３４】
掃除機は、フロアブラシと、プッシュロッド３０と、本体と、上記の３段構造のサイクロン式ダストカップフィルタシステムを備えている。カバープレートは中空構造のプッシュロッド３０に一体的に接続されており、カバープレートのエア通路はプッシュロッドの中空室に連通している。ダストとエアはフロアブラシを通ってプッシュロッドの中空室に流入し、さらにカバープレートのエア通路を通って３段構造のサイクロン式ダストカップフィルタシステムに流入し、フィルタと分離が行われる。そこで分離されたエアは手持ち掃除機の本体に流入し、排出される。
【００３５】
この掃除機は、３回ダスト・エア分離を行うことができる。第１段階では大粒のダストと、紙くずと、髪の毛が分離され、これにより分離効率が向上し、ＨＥＰＡフィルタの詰まりが防止され、エア損失が減少する。このサイクロンシステムは、大粒のダストや髪の毛をフィルタ装置のダストカップに保持することができる。細かい粒子のダストは手持ち掃除機のダストカップに流入し、再度分離される。このためダストカップのクリーニングが容易である。
【００３６】
本発明の作動原理を説明する。
ダストとエアの移動方向を図面に示す。ダストとエアは、（図２の丸付き数字１で示すように）エア通路１８を通ってダストカップ１１に流入し、丸付き数字２と３を通って第１段のフィルタ装置に入る。エア通路の渦巻き状の面によって、大きいダストはエアコーンに沿って下向きに渦巻き状に移動しながら、ダストカップ１１中に落下する。また細かい粒子のダストの一部は空気とともにダストカップ１１を通過し、渦巻き状の２段式ダスト・エア分離装置に流入する。このとき大粒のダストと髪の毛はダストカップ１１に残り、細かいダストの一部のみが渦巻き状の２段式ダスト・エア分離装置に流入する。またこのとき、ダストとエアは丸付き数字４、５、６、７を通って渦巻き状の２段式ダスト・エア分離装置に入る。細かい粒子は、渦巻き状の２段式ダスト・エア分離装置のサイクロンシリンダを通過して、分離され、次に渦巻き状のファンブレードに到達し再度分離される。これにより細かい粒子のダストのほぼすべてが分離され、手持ち掃除機のダストカップ内に残り、微小な粒子のダストはサイクロンコーン２５を通って（丸付き数字８で示すように）スポンジゴムに到達し、スポンジゴム２６で分離後、クリーンな空気が丸付き数字９を通ってモータに入る。こうしてダストとエアが完全に分離される。このシステムによりユニット全体のダスト収容能力が大きくなるだけでなく、エア損失も減少する。３回のサイクロン式ダスト・エア分離によって、ＨＥＰＡフィルタは詰まりにくくなり、ＨＥＰＡフィルタのクリーニングの回数を減らすことができる。さらに大粒のダストと細かい粒のダストが２つの別々のダストカップ、すなわちフィルタ装置のダストカップと、手持ち掃除機のダストカップにそれぞれ集められるため、クリーニングが容易である。またフィルタ装置のダストカップは構造が単純で、ダストの排出が容易である。
【００３７】
本発明は、３段構造のサイクロン式ダストカップフィルタシステムと、このシステムを備えた掃除機を提供する。このフィルタシステムは、上記の着脱自在に設けられた渦巻き状の２段式ダスト・エア分離装置と、上記の第１段のフィルタ装置を備えている。ダストを含む空気が第１段のフィルタ装置の第１のエア流入通路から流入すると、フィルタスクリーンで第１段階のダスト・エア分離が行われた後、ダストを含む空気の少なくとも一部は、第２のエア流入通路を通って、渦巻き状の２段式ダスト・エア分離装置のサイクロンシリンダに流入し、第２段階のダスト・エア分離が行われ、第２のダスト収集スペースに集められる。次にダストを含む空気の少なくとも一部は、第３のエア流入通路を通って、渦巻き状の２段式ダスト・エア分離装置の渦巻き状のファンブレードに到達し、第３段階のダスト・エア分離が行われ、ダストは第３のダスト収集スペースに集められる。次に旋回流となって移動する空気は負圧により排出される。こうして第３段階のダスト・エア分離が完了する。このシステムにより、ユニット全体のダスト収容能力が大きくなるだけでなく、ダストカップの分離効率も向上し、エア損失が減少する。ダストカップの分離効率は約９５%であり、これは同タイプの第１段のサイクロンシステムと比較して大幅に高い数値である。３回のダスト・エア分離を行うことにより、ＨＥＰＡフィルタは詰まりにくくなり、ＨＥＰＡフィルタのクリーニングの回数を減らすことができる。さらに大粒のダストと細かい粒のダストが２つの別々のダストカップ、すなわちフィルタ装置のダストカップと、手持ち掃除機のダストカップにそれぞれ集められるため、クリーニングが容易である。またフィルタ装置のダストカップは構造が単純で、ダストの排出が容易である。
【００３８】
ここで開示した実施例の上記の説明に基づき、当業者なら本発明を実施し、使用することができる。当業者ならこれらの実施例の様々な改良を容易に考えることができるはずである。ここで定義した全般的な原理は、本発明の精神および範囲から外れることなく、他の実施例にも適用できる。このため本発明はここで説明した実施例に限定されず、ここで開示した原理および新規な特徴と一致した最も広い範囲によって定義されるべきである。
【符号の説明】
【００３９】
参照番号あるいは文字と図１、２の要素との対応関係
１０  第１段のフィルタ装置
２０  渦巻き状の２段式ダスト・エア分離装置
３０  プッシュロッド
１１  ダストカップ
１２  フィルタスクリーン
１３  サイクロンエア通路
１４  第１のダスト収集スペース
１５  カバープレート
１６  載置スペース
１７  クランプコネクタ
１８  エア通路
２１  サイクロンシリンダ
２２  第２のダスト収集スペース
２３  渦巻き状ファンブレード
２４  第３のダスト収集
２５  サイクロンコーン
２６  スポンジゴム
【図１】
0006534495.tif 000002
【図２】
0006534495.tif 000003